(57)【特許請求の範囲】
【請求項１】
一端の開口部から他端の開口部に向けて毛髪束を挿入可能なようにシートにより構成された筒状体からなる毛髪保持具であって、
前記一端の開口部から挿入された毛髪束以外の毛髪束に固定するための固定手段を有している毛髪保持具。
【請求項２】
前記固定手段は、ピン又はクリップである請求項１記載の毛髪保持具。
【請求項３】
前記固定手段は、粘着部であり、該粘着部は粘着剤が前記筒状体に塗布されて形成されている請求項１記載の毛髪保持具。
【請求項４】
前記固定手段は、面ファスナのオス材である請求項１記載の毛髪保持具。
【請求項５】
前記固定手段は、前記一端の開口部の近傍に設けられている請求項１〜４の何れかに記載の毛髪保持具。
【発明の詳細な説明】
【技術分野】
【０００１】
本発明は、所定量の毛髪を、染毛又はパーマ等することのできる毛髪保持具に関する。
【背景技術】
【０００２】
従来、所定量の毛髪を、染毛又はパーマ等することのできる筒状体から構成される毛髪保持具が知られている。この種の毛髪保持具は、可撓性の筒状体から構成されており、該筒状体における一方の端部から、毛髪束が該筒状体内へ挿入されるようになされている。例えば、毛髪束の染毛を行なう際には、筒状体の内部に染毛剤を注入し、筒状体の内部で染毛剤が毛髪束に塗布される。
【０００３】
筒状体の形成材料として、染毛剤に対して、非透過性の材料を用いることにより、毛髪保持具に挿入されている毛髪以外の毛髪が染毛されることが防止されるので、毛髪の部分的な染毛に効果的である。
【０００４】
例えば、本出願人は、先に特許文献１において、一端部に毛髪取り込み口を有する細長形状の可撓性材料からなる筒状体から構成されており、該筒状体に保持された毛髪を所定の形状に巻き上げ、湾曲又は屈曲させる巻き上げ手段が備えられている毛髪保持具を提案している。
【０００５】
また、特許文献２には、一端の開口部から他端の開口部に向けて毛髪束を挿入可能な筒状体から構成されており、該筒状体は柔軟な材料から形成されている毛髪保持具が開示されている。
【０００６】
また、特許文献３には、一端の開口部から他端の開口部に向けて毛髪束を挿入可能なようにシートにより構成された筒状体からなり、該筒状体は毛髪処理剤を備えている毛髪保持具が開示されている。
【０００７】
【特許文献１】特開平２００３−９３１３３号公報
【特許文献２】特開平２００４−４１７２３号公報
【特許文献３】米国特許出願公開第２００４−２１６７５９号明細書
【発明の開示】
【発明が解決しようとする課題】
【０００８】
前述した特許文献に記載の毛髪保持具は、頭部に装着する際に、専ら筒状体の内部に挿入された毛髪束と毛髪保持具とを固定するようになされている。筒状体の内部に挿入されている毛髪束はずれ易く、装着中あるいは毛髪処理中に毛髪保持具が、頭部からずれたり抜け落ちたりする場合があった。また、毛髪保持具を頭部に装着した際には、処理される毛髪束の頭皮部分に、毛髪保持具の重さと共に、毛髪束自体の重さ及び毛髪処理剤の重さがかかることとなり、処理される毛髪束の頭皮部分が下に向けて引っ張られるように感じる場合があった。
【０００９】
従って、本発明の目的は、装着感に優れ、また頭部に安定して装着される毛髪保持具を提供することにある。
【課題を解決するための手段】
【００１０】
本発明は、一端の開口部から他端の開口部に向けて毛髪束を挿入可能なようにシートにより構成された筒状体からなる毛髪保持具であって、該一端の開口部から挿入された毛髪束以外の毛髪束に固定するための固定手段を有している毛髪保持具を提供することにより、上記目的を達成したものである。
【発明の効果】
【００１１】
本発明の毛髪保持具によれば、装着感に優れ、また頭部に安定して固定される。
【発明を実施するための最良の形態】
【００１２】
以下、本発明の毛髪保持具を、その好ましい一実施形態に基づいて、図を参照しながら説明する。
【００１３】
第１実施形態の毛髪保持具１は、図１〜図３に示すように、一端の開口部２１から他端の開口部２２に向けて毛髪束Ｈを挿入可能なように一対のシート２３、２３により構成された筒状体２からなり、毛髪束Ｈを染毛するために用いられる。
また、本実施形態の毛髪保持具１は、一端の開口部２１から挿入された毛髪束Ｈ以外の毛髪束に固定するための固定手段を有している。
【００１４】
本実施形態の毛髪保持具１について以下に詳述する。
筒状体２は、図１に示すように、縦長であり、一端の開口部２１から他端の開口部２２に向けて毛髪束Ｈを挿入可能に構成されている。また、筒状体２は、一対の縦長矩形状のシート２３、２３それぞれを、その長手方向の側端部２４、２４同士を接合して形成されたものである。一対のシート２３、２３は、柔軟であり、筒状体２は可撓性を有している。
【００１５】
筒状体２の長さは、処理すべき毛髪の長さに応じて適切な長さとされ、好ましくは処理すべき毛髪の長さよりも長くなっている。また、筒状体２の開口部２１、２２は概長円形状であり、その大きさは、挿入する毛髪束の量に応じて適切な大きさとされる。
一般に、筒状体２の長さは５０〜６００ｍｍ、開口部２１，２２の大きさは、長径５〜１００ｍｍ、短径２〜４０ｍｍ程度の範囲である。長径と短径が等しい場合には筒状体２の開口部２１、２２は円形状となる。
【００１６】
毛髪保持具１は、図２に示すように、一端の開口部２１から筒状体２の内部に挿入された毛髪束Ｈに、筒状体２に注入された毛髪処理剤としての染毛剤を、他端の開口部２２側から一端の開口部２１へ向かって筒状体２をしごいて塗り広げて、毛髪束Ｈを筒状体２の内部で染毛処理するために好ましく用いられる。染毛処理の際には、筒状体２の長手方向において、一端の開口部２１を有する上端部２５側を上方にし、他端の開口部２２を有する下端部２６側を下方に位置させることが好ましい。
【００１７】
一対のシート２３、２３は、染毛剤に対して、非透過性の材料から形成されており、染毛剤が筒状体２の側面から外に漏れ出すことはない。その結果、毛髪保持具１に挿入されている毛髪束以外の毛髪が染毛されることが防止される。従って、本実施形態の毛髪保持具１を用いた染毛処理は、頭部における毛髪の部分的な染毛に特に効果的である。
【００１８】
また、染毛剤は、毛髪保持具１内に比較的気密状態で存在することになるので、染毛剤に揮発成分が含まれている場合には、染毛中に該揮発成分が揮発することが防止され、染毛処理を効率的に行えるという利点もある。
【００１９】
前述した一対のシート２３、２３の形成材料としては、ホ゜リエチレン、ホ゜リフ゜ロヒ゜レン、ホ゜リエチレンテレフタレート、ナイロン、ポリスチレン、塩化ビニル等又はこれらの複合物からなる樹脂フィルム等が好ましく用いられる。
【００２０】
本実施形態の毛髪保持具１における前記固定手段は、図１及び図２に示すように、一対のピン３，３である。前記固定手段としての一対のピン３，３は、一端の開口部２１の近傍に設けられている。
一対のピン３，３は、筒状体２を形成する一対のシート２３、２３の内、何れか一方のシートにおける上端部２５側の端縁部に接合されている。
【００２１】
一対のピン３，３それぞれは、図１に示すように、筒状体２の上端部２５において、筒状体２の幅方向に間隔を開けて、公知の接合手段により接合されている。
一対のピン３，３それぞれは、毛髪保持具１を、一端の開口部２１から挿入された毛髪束Ｈ以外の毛髪束に脱着自在に固定する部位である。
【００２２】
一対のピン３，３それぞれは、前記毛髪束に差し込まれるピン先が、筒状体２の下端部２６側へ向けて配置されている。一対のピン３，３それぞれは、２本のピンが連設された構造を有しており、頭部における比較的多くの毛髪と係止される。
【００２３】
一対のピン３，３それぞれにおいて、毛髪束に差し込まれる部分の長さは、１０〜１００ｍｍ、特に２０〜５０ｍｍであることが、毛髪保持具１が頭部に確実に且つ安定的に装着される上で好ましい。
【００２４】
本実施形態の毛髪保持具１を、一端の開口部２１から挿入された毛髪束Ｈ以外の毛髪束に装着する際には、図３に示すように、一対のピン３，３が接合されている一方のシートを、頭部側に向けて該頭部に装着されることが好ましい。
【００２５】
本実施形態の毛髪保持具１は、前記固定手段としての一対のピン３，３を有しているので、毛髪保持具１を頭部に装着するために用いる毛髪の量が多く、頭皮部分が下に向けて引っ張られる感じが和らぎ、また毛髪保持具１が頭部に安定して装着される。
また、本実施形態の毛髪保持具１を頭部に装着する際には、一対のピン３，３を、一端の開口部２１から挿入された毛髪束Ｈ以外の毛髪束に係止すると共に、例えばクリップ等を用いて、毛髪保持具１を、一端の開口部２１から挿入された毛髪束Ｈと固定することも、前述した観点から好ましい。
【００２６】
一対のピン３，３それぞれを形成する材料としては、所定の弾性及び剛性を有する従来公知の各種ピンの形成材料を用いることができるが、特に染毛剤による腐食、変色等の化学反応を起さないものが好ましい。この種の材料としては、例えばポリプロピレン、ポリアセタール、鉄、アルミ等が好ましい。また、染毛剤による腐食、変色等の化学反応を有する材料であっても、その表面に該染毛剤に対して化学的に不活性な樹脂又は金属等を被覆してあるものも好ましく用いることができる。
【００２７】
本実施形態の毛髪保持具１について、更に説明すると、筒状体２の下端部２６には、筒状体２の内部に注入された染毛剤が、他端の開口部２２から流れ出ることを防止するために、開閉自在の封止手段が設けられていることが好ましい。
前記封止手段としては、例えば、チャックが挙げられる。下端部２６にチャックが設けられることにより、他端の開口部２２の開閉が行なえる。封止手段としては、チャックの他に、面ファスナ、粘着テープ、自己接着性テープ〔例えば仁礼工業製のふしぎテープ（商品名）〕などを用いることもできる。
【００２８】
また、前記封止手段としては、アルミ箔のように可塑性を有し、折り畳んだ状態が維持される部材を下端部２６に接合して、封止手段とすることも好ましい。例えば、筒状体２と同じ幅の縦長矩形のアルミ箔を、下端部２６側の端縁と端縁同士を揃えて接合する。アルミ箔が接合された下端部２６の部分を上方に向けて一回又は複数回の折り畳むことにより、筒状体２の下端部が封止される。
【００２９】
本実施形態の毛髪保持具１は、染毛処理をする際に、毛髪束Ｈを一端の開口部２１から筒状体２の内部へ挿入するために、毛髪挿入具を用いることも好ましい。毛髪挿入具は、毛髪保持具１内に挿入された状態で使用され、一方の端部には毛髪束Ｈを係止するための係止部を有し、該係止部は一端の開口部２１から延出しており、他方の端部には、他端の開口部２２から延出する把持部を有していることが好ましい。このような毛髪挿入具としては、例えば、前述した特開平２００３−９３１３３号公報又は米国特許出願公開第２００４−２１６７５９号の明細書等に記載のものが挙げられる。
【００３０】
次に、前述した毛髪保持具１と毛髪挿入具とを用いた染毛処理の一使用態様について、以下に説明する。染毛する際に用いる毛髪保持具１における筒状体２の長さは、毛髪束Ｈの長さよりも長いものを用いることが、毛髪束Ｈ全体を染毛する上で好ましい。
【００３１】
先ず、毛髪挿入具の係止部が一端の開口部２１から延出し、把持部が他端の開口部２２から延出しており、毛髪挿入具が筒状体２内に挿入された状態の毛髪保持具１を用意する。
【００３２】
次に、毛髪挿入具の係止部に毛髪束Ｈを係止する。この際、毛髪束Ｈの頭皮に近い部分を係止部に係止することが好ましい。次に、係止部に毛髪束Ｈを係止した状態で、把持部を引っ張り、毛髪束Ｈを筒状体２の内部に挿入する。毛髪束Ｈは、筒状体２の内部で、概ね直線状に伸ばされた状態となる。
【００３３】
次に、筒状体２の他端の開口部２２から、染毛剤を注入し、下端部２６側から上端部２５側へ向けて、筒状体２を指でしごいて、染毛剤を毛髪束Ｈに塗り広げる。
更に、前記封止手段が筒状体２に設けられている場合には、下端部２６を封止することが好ましい。
【００３４】
所望により、複数の毛髪保持具１を用いて同様の操作を繰り返し、所定時間放置する。その後、毛髪束Ｈを、毛髪保持具１から取り出し、すすぎ洗いをし、更にシャンプー及びブローをすることが好ましい。
【００３５】
次に第２〜４実施形態の毛髪保持具１を、図４〜図７を参照しながら説明する。第２〜４実施形態について、特に説明しない点については、第１実施形態に関して詳述した説明が適宜適用される。また、図４〜図７において、図１〜図３と同じ部材に同じ符号を付してある。
【００３６】
本発明の好ましい第２実施形態の毛髪保持具１において、前記固定手段は、粘着部４であり、該粘着部４は水溶性の粘着剤が筒状体２に塗布されて形成されている。粘着部４は、一端の開口部２１の近傍に設けられている。
【００３７】
粘着部４は、図４に示すように、矩形形状であり、筒状体２を形成する一対のシート２３、２３の内、何れか一方の上端部２５における外面に形成されている。
粘着部４は、毛髪保持具１を、一端の開口部２１から挿入された毛髪束Ｈ以外の毛髪束に脱着自在に固定する部位である。本実施形態の毛髪保持具１を使用するまでは、粘着部４には、剥離紙が載置されて保護されていることが好ましい。
【００３８】
本実施形態の毛髪保持具１について、更に説明する。
粘着部４は、筒状体２の幅方向両端部に亘り形成されている。粘着部４における筒状体２の長手方向における長さは、毛髪保持具１が粘着部４により頭部に確実に且つ安定的に装着される観点から、１０〜１００ｍｍ、特に２０〜５０ｍｍであることが好ましい。
【００３９】
また、粘着部４は、上端部２５側の端縁から、５〜２００ｍｍ、特に１０〜５０ｍｍの範囲内に設けられていることが、同様の観点から好ましい。
【００４０】
本実施形態の毛髪保持具１を、一端の開口部２１から挿入された毛髪束Ｈ以外の毛髪束に固定する際には、粘着部４が形成されている一方のシートを頭部側に向けて該頭部に装着されることが好ましい。
【００４１】
染毛処理後に毛髪保持具１を頭部から取り外す際に、粘着部４を形成する粘着剤が毛髪に付着する場合があるが、粘着剤が水溶性の場合には、毛髪をシャンプーすることにより、毛髪から粘着剤を容易に洗い流すことができる。
【００４２】
粘着部４を形成する水溶性の粘着剤としては、毛髪及び頭皮に接触しても安全なものが好ましい。このような粘着剤としては、例えばカルボキシル基を有するアニオン性バインダ、ポリビニルアルコール、デンプンまたはその誘導体、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等が好ましい。アニオン性バインダとしては、多糖誘導体、合成高分子、天然物が挙げられる。多糖誘導体としてはカルボキシメチルセルロース（ＣＭＣ）又はその塩、カルボキシエチルセルロース又はその塩、カルボキシメチル化デンプン又はその塩などが挙げられ、特にカルボキシメチルセルロースのアルカリ金属塩が好ましい。合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマール酸などが挙げられる。これらと共重合可能な単量体としては、これら不飽和カルボン酸のエステル、酢酸ビニル、エチレン、アクリルアミド、ビニルエーテル等が挙げられる。天然物としては、ザンサンガム、ジェランガム、タラガントガム、ペクチンなどが挙げられる。
【００４３】
粘着部４を形成する非水溶性の粘着剤としては粘着性ゲルがある。該ゲルには、シリコン系・ウレタン系等があり、毛髪束の表面の凹凸になじんで粘着させることができる。また、粘着部４を剥がしても粘着性ゲルが毛髪束に残ったりすることは無い。
【００４４】
粘着部４における接着剤の筒状体２への塗工坪量は、５〜２００ｇ／ｍ2、特に１０〜５０ｇ／ｍ2であることが、毛髪保持具１が粘着部４により頭部に確実に且つ安定的に装着される上で好ましい。
【００４５】
前述した本実施形態の毛髪保持具１によれば、前述した実施形態と同様の効果が奏される。
【００４６】
本発明の好ましい第３実施形態の毛髪保持具１において、前記固定手段は、面ファスナのオス材５である。オス材５は、一端の開口部２１の近傍に設けられている。オス材５は、図５に示すように、矩形形状であり、筒状体２を形成する一対のシート２３、２３の内何れか一方の上端部２５における外面に接合されている。
オス材５は、毛髪保持具１を、一端の開口部２１から挿入された毛髪束Ｈ以外の毛髪束に脱着自在に固定する部位である。
【００４７】
本実施形態の毛髪保持具１について、更に説明する。
毛髪保持具１を、一端の開口部２１から挿入された毛髪束Ｈ以外の毛髪束に装着する際には、オス材５が接合されているシートを頭部側に向けて該頭部に装着されることが好ましい。
【００４８】
毛髪保持具１を頭部に装着する際には、オス材５を、面ファスナのメス材としての毛髪束に押し付けながら、毛髪束に対して上下、左右に動かすことで、オス材５が毛髪束と係合し、毛髪保持具１が頭部に脱着自在に固定される。
【００４９】
オス材５は、筒状体２の幅方向両端部に亘り接合されている。オス材５における筒状体２の長手方向における長さは、毛髪保持具１がオス材５により頭部に確実に且つ安定的に装着される観点から、５〜２００ｍｍ、特に２０〜１００ｍｍであることが好ましい。
【００５０】
前述した本実施形態の毛髪保持具１によれば、前述した実施形態と同様の効果が奏される。
【００５１】
本発明の好ましい第４実施形態の毛髪保持具１において、前記固定手段としての面ファスナのオス材５は、図６に示すように、筒状体２の長手方向の中央部に設けられている。筒状体２の長手方向の中央部は、長手方向の両端部を除いた部分である。
オス材５は、縦長矩形であり、その長手方向が筒状体２の長手方向と一致している。
【００５２】
本実施形態の毛髪保持具１は、図７に示すように、上端部２５を、例えばクリップ６で一端の開口部２１から挿入された毛髪束Ｈに脱着自在に固定することが好ましい。毛髪保持具１が、頭部に更に確実に且つ安定して装着される。
【００５３】
本発明の毛髪保持具は、前述した実施形態に制限されることなく、本発明の趣旨を逸脱しない限り適宜変更が可能である。
例えば、本発明の毛髪保持具は、前記固定手段が、クリップであっても良い。
また、本発明の毛髪保持具を用いて、ストレートパーマネント処理を行うことも好ましい。例えば、ストレートパーマネント処理を行う場合には、毛髪処理剤としてのパーマネント処理液を毛髪に塗布する必要がある。この場合には、筒状体２を形成する一対のシート２３，２３の内、前記固定手段を有さない一方のシートとして、パーマネント処理液が透過する材料を用いることが好ましい。パーマネント処理を施す部位の毛髪束Ｈを、毛髪保持具１で保持した後に、毛髪保持具１の外側から、パーマネント処理液を供給し、該パーマネント処理液が前記シートを透過して、毛髪束に塗布されるため、パーマネント処理を効率的に行なうことが可能となる。
【００５４】
前述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００５５】
【図１】図１は、本発明における毛髪保持具の第１実施形態を示す斜視図である。
【図２】図２は、図１の毛髪保持具を頭部に装着した状態を示す模式図である。
【図３】図３は、図１の毛髪保持具を頭部に装着する様子を示す模式図である。
【図４】図４は、本発明における毛髪保持具の第２実施形態を示す平面図である。
【図５】図５は、本発明における毛髪保持具の第３実施形態を示す平面図である。
【図６】図６は、本発明における毛髪保持具の第４実施形態を示す平面図である。
【図７】図７は、図６の毛髪保持具を頭部に装着した状態を示す模式図である。
【符号の説明】
【００５６】
１        毛髪保持具
２        筒状体
２１、２２  開口部
２３        シート
２４        側縁部
２５        上端部
２６        下端部
３        ピン
４        粘着部
５        面ファスナのオス材
６        クリップ
Ｈ        毛髪束
【図１】
0004627042.tif 000002
【図２】
0004627042.tif 000003
【図３】
0004627042.tif 000004
【図４】
0004627042.tif 000005
【図５】
0004627042.tif 000006
【図６】
0004627042.tif 000007
【図７】
0004627042.tif 000008